(57)【要約】【課題】パソコンに接続されるプリンタで印刷可能であり、かつ、廃棄物処理としての環境負荷が大きくない卒塔婆とすること。【解決手段】特定の規格化された板紙１の表裏に他の印刷を重ね印刷自在に木目を印刷した印刷層２,３と、板紙１に複数線状に入れたマイクロミシンで形成した切断線４とを具備し、板紙１両辺と切断線４に囲まれた領域及び切断線４に両側が囲まれた領域に、概念的な上に尖った丸１５、半丸１４、三角１３、丸１２、四角１１のシルエットラインを形成したものである。したがって、木目を有し、その切断面も仕上がりが綺麗であるから、木材の薄い材料として認識され、また、木目を印刷した印刷層２,３は、他の印刷を重ねて印刷でき、パソコンに接続されているインクジェットプリンタで印字可能になる。また、板紙１の厚みがパルプまたは合成樹脂の板紙としたものであるから、廃棄物処理としての環境負荷が小さくなる。【選択図】図１
2011147639.tif 000002
【特許請求の範囲】
【請求項１】
特定の規格化された板紙と、
前記板紙の表裏の少なくとも１面には他の印刷を重ね印刷自在なように木目印刷した印刷層と、
前記板紙に複数線状に入れたマイクロミシンで形成した切断線と、
前記板紙両辺と前記切断線に囲まれた領域及び前記切断線に両側が囲まれた領域に、概念的に五輪塔を表す上に尖った丸、半丸、三角、丸、四角のシルエットラインの１以上の打ち抜きを形成してなることを特徴とする卒塔婆。
【請求項２】
前記概念的に五輪塔を表す上に尖った丸、半丸、三角、丸、四角のシルエットラインの１以上の打ち抜きを形成する位置は、前記板紙両辺上及び前記切断線上としたことを特徴とする請求項１に記載の卒塔婆。
【請求項３】
前記板紙の表裏の少なくとも１方の印刷層は、親水処理または放電加工処理されていないことを特徴とする請求項１または請求項２に記載の卒塔婆。
【請求項４】
前記概念的に五輪塔を表す上に尖った丸、半丸、三角、丸、四角のシルエットラインの１以上の打ち抜きは、略三角形または略三角形と略四角形の打ち抜きによって形成したことを特徴とする請求項１乃至請求項３の何れか１つに記載の卒塔婆。
【発明の詳細な説明】
【技術分野】
【０００１】
本発明は、卒塔婆（そとば）は塔婆（とうば）とも言われ、ここでは、卒塔婆を略した墓の脇に立てる塔の形をした木片のことを意味し、板塔婆、水塔婆と呼ぶこともある。
【背景技術】
【０００２】
従来の卒塔婆は、五輪卒塔婆といわれるように五輪塔を簡略化したもので、上部の輪郭に左右４対の切込みによって、五輪塔と同じく、上から空（宝珠形）、風（逆半円形）、火（三角形）、水（円形）が形成され、下部の何も刻んでいない長い部分で地（方形）が形成されている。
宗派によって違いがあるが、一般的に墓石の周りに卒塔婆を立てることを卒塔婆供養といい、法要毎に新しい卒塔婆と取り替え卒塔婆供養を行っている。
【０００３】
特許文献１では、杉花粉症対策、水害予防対策として大量に伐採され、伐採地にそのまま放置されている杉材を、卒塔婆の素材として用いるようにした技術が開示されており、杉材を卒塔婆の素材として用いることは、卒塔婆を製造する者だけではなく、卒塔婆を提供する仏寺の僧侶及びその提供を受ける者も、山林資源の有効利用に資することになる。
また、杉材を用いた卒塔婆は、樅材を使用した卒塔婆よりも軽量であって、文字の書き手にとっては、その作業上の負担を軽減することができ、杉材からは無地材が多く得られるので、歩留まりが良く、しかも、樅材と比べて安価であり、卒塔婆の製造コストの低廉化を図ることが可能である。
更に、卒塔婆の下部先端部に防腐剤を塗布するようにしたことから、露天の墓所に卒塔婆を立てた場合に、卒塔婆の下部先端部から雨水などが浸み込むのを防止し、卒塔婆の腐食を防ぐことができるとしている。
【０００４】
この特許文献１の卒塔婆は、天然の木材であるが、これら木製の卒塔婆は、一定期間墓地に立てられた後、焼却によって処分されるから、焼却による資源の浪費や大気汚染が問題視されていた。また、木目の美しさを追求するため、原木の選定、製材、乾燥等に厳しい条件が課され、非常に歩留まりが悪かった。
また、特許文献２では、見かけ密度が０．２〜１．０ｇ／ｃｍ3で、かつ、発泡平均セル径が１０００μｍ以下で、生分解性ポリエステル１００質量部と、アクリル酸エステル及び／又はグリシジルエーテル０．０１〜５質量部とからなる生分解性ポリエステル樹脂組成物の発泡体で構成された生分解性卒塔婆の発明を提供している。それによって、水墨等による筆記性や印刷性に優れ、環境に優しい軽量で堅固な生分解性卒塔婆を提供している。
【先行技術文献】
【特許文献】
【０００５】
【特許文献１】特開２００６−２３９２０７
【特許文献２】特開２００６−６６２８
【発明の概要】
【発明が解決しようとする課題】
【０００６】
このように、特許文献１は天然の木材を使用するものであるが、これら木製の卒塔婆は焼却によって処分されるから、焼却による資源の浪費や大気汚染が問題視されていた。また、木目の美しさを追求するため、原木の選定、製材、乾燥等に厳しい条件が課され、非常に歩留まりが悪かった。
【０００７】
そして、特許文献２は生分解性ポリエステル樹脂組成物で形成されているから、紫外線等の遮蔽が完全でないと、劣化し、印刷の仕上がりの低下となる。また、法要毎に新しい卒塔婆と取り替え卒塔婆供養を行われるが、その際に卒塔婆が朽ちているのをみると、簡易型の使用に抵抗感を感ずることがある。
更に、簡易型の卒塔婆であっても、その卒塔婆の印刷を行おうとすると、特殊な印刷機が必要となり、特定の業者に依頼しないと卒塔婆を印刷することができなかった。
【０００８】
そこで、本発明は、パソコンに接続されるプリンタで印刷可能であり、かつ、廃棄物処理としての環境負荷が大きくない卒塔婆の提供を課題とするものである。
【課題を解決するための手段】
【０００９】
請求項１の発明にかかる卒塔婆は、特定の規格化された板紙の表及び／または裏に他の印刷を重ね印刷自在に木目を印刷した印刷層と、前記板紙に複数線状に入れたマイクロミシンで形成した切断線と、前記板紙の両辺と前記切断線に囲まれた領域及び前記切断線に両側が囲まれた領域に、五輪塔を概念的な上に尖った丸、半丸、三角、丸、四角、即ち、空、風、火、水、地を表すシルエットラインの１以上の打ち抜きを形成したものである。
ここで、特定の規格化された板紙とは、紙の規格で一般にＡ判、Ｂ判と呼ばれるもので、本実施の形態ではＡ５、Ａ４、Ａ３、Ａ２及びＢ５、Ｂ４、Ｂ３が使用に好適である。勿論、ＩＳＯ規格またはＤＩＮ規格であってもよい。何れにせよ、この規格とは複数毎取りできる卒塔婆をパソコンのプリンタで印刷できればよいことを意味し、厳格に数ｃｍの寸法違いを規格外というものではない。
また、上記印刷層は、板紙の表裏に他の印刷を重ね印刷できるような木目を印刷したものであり、他の印刷が重ね印刷できるとは、木目印刷の影響を受けることなく、その木目印刷の表面に印刷可能なものであればよい。即ち、通常のグラビア印刷やオフセット印刷、オンデマンド印刷、トナーで印刷した板紙の表面を親水処理またはコロナ処理、プラズマ処理等の放電加工処理により、親水性を持たせたものであればよい。勿論、印刷層のインキ自体に親水基を有するポリマーを共重合したり、親水性ポリマーを混練したり、親水性ポリマーを表面にコーティングしてもよい。
そして、上記マイクロミシンで形成した切断線は、板紙に複数線状に入れたものであり、その切断面の仕上げを見栄えよくするものであり、通常、トムソン刃を用い、僅かなバリの発生や紙粉の発生を抑えるものであればよい。
更に、上記板紙の両辺と前記切断線に囲まれた領域及び前記切断線に両側が囲まれた領域とは、卒塔婆の本体となる部分であり、そこに五輪塔の概念的な上に尖った丸、半丸、三角、丸、四角のシルエットラインの１以上の組み合わせを形成したものである。勿論、概念的な上に尖った丸、半丸、三角、丸、四角のシルエットラインの５個の組み合わせが好ましいが、概念的に処理されるので、そのうちの１乃至４個の形状が他の形状であっても、省略されていても、それが五輪塔の概念的表現を否定できないので、シルエットラインの１以上が採用されておればよい。
【００１０】
請求項２の発明にかかる卒塔婆の前記概念的な上に尖った丸、半丸、三角、丸、四角のシルエットラインの１以上の組み合わせを形成する位置は、前記板紙両辺上及び前記切断線上としたものである。
即ち、前記板紙両辺と前記切断線に囲まれた領域及び前記切断線に両側が囲まれた領域とは、卒塔婆の本体となる部分であり、その大きさを維持するには、前記板紙両辺上及び前記切断線上に卒塔婆の前記概念的な上に尖った丸、半丸、三角、丸、四角のシルエットラインを形成するものである。
【００１１】
請求項３の発明にかかる卒塔婆の前記板紙の表裏に他の印刷を重ね印刷自在に木目を印刷した印刷層は、親水処理されたものである。
ここで、印刷層の親水処理は、前記板紙の表裏に他の印刷を重ね印刷自在とするものであるが、木目印刷するインク自体が親水性のものの使用、または、通常のグラビア印刷やオフセット印刷等で印刷した板紙の表面を親水処理または放電加工処理により、親水性を持たせたものとすることができる。
【００１２】
請求項４の発明にかかる卒塔婆の前記概念的に五輪塔を表す上に尖った丸、半丸、三角、丸、四角のシルエットラインの１以上の打ち抜きは、略三角形または略三角形と略四角形の打ち抜きによって形成したものである。
ここで略三角形または略三角形と略四角形とは、直線の３辺または４辺からなる三角形または四角形に限定されるものではなく、湾曲または曲線で形成される３辺または４辺からなる三角形または四角形を含むものである。
【発明の効果】
【００１３】
請求項１の卒塔婆は、特定の規格化された板紙の表裏に他の印刷を重ね印刷自在に木目を印刷した印刷層と、前記板紙に複数線状に入れたマイクロミシンで形成した切断線とを具備し、しかも、前記板紙の両辺と前記切断線に囲まれた領域及び前記切断線に両側が囲まれた領域に、概念的な上に尖った丸、半丸、三角、丸、四角のシルエットラインを形成したものである。
したがって、木材で成形した卒塔婆と同様、木目を維持し、その切断面も仕上がりが綺麗であるから、木材の薄い材料として認識され、また、木目を印刷した印刷層は、他の印刷を重ねて印刷できるものであるから、パソコンに接続されているインクジェットプリンタ、トナー式のプリンタでも印字可能になり、特に、用紙の規格サイズで印刷可能であるから、市販のプリンタでの扱いが容易である。そして、板紙の厚みがパルプまたは合成樹脂の板紙としたものであるから、廃棄物処理としての環境負荷が小さくなる。
【００１４】
請求項２の卒塔婆の前記概念的な上に尖った丸、半丸、三角、丸、四角のシルエットラインの１以上を形成する位置は、前記板紙両端辺上及び前記切断線上としたものであるから、請求項１に記載の効果に加えて、卒塔婆の本体を規格サイズの板紙から最大面積とすることができる。
【００１５】
請求項３の卒塔婆の前記板紙の表裏に他の印刷を重ね印刷自在に木目を印刷した印刷層は、親水処理または放電加工処理されたものであるから、請求項１または請求項２に記載の効果に加えて、特に、グラビア印刷やオフセット印刷した板紙の表面を親水処理または放電加工処理により、親水性を持たせればよいので、生産性がよく、廉価にすることができる。
【００１６】
請求項４の卒塔婆の前記概念的に五輪塔を表す上に尖った丸、半丸、三角、丸、四角のシルエットラインの１以上の打ち抜きは、略三角形または略三角形と略四角形の打ち抜きによって形成したものであるから、請求項１乃至請求項３の何れか１つに記載の効果に加えて、単純な打ち抜型で形成できるので、製品コストを廉価にできる。
【図面の簡単な説明】
【００１７】
【図１】図１は本発明の実施の形態の１枚の卒塔婆と五輪塔との関係を示す説明図である。
【図２】図２は本発明の実施の形態の１枚の卒塔婆の要部を示す正面図である。
【図３】図３は本発明の実施の形態の１枚の卒塔婆の切断線Ａ−Ａによる拡大断面を示す断面図である。
【図４】図４は本発明の実施の形態の卒塔婆の正面全体を示す正面図である。
【図５】図５は本発明の実施の形態の卒塔婆の打抜き型の一例の形状を示す正面図である。
【図６】図６は本発明の実施の形態の卒塔婆の打抜き型の他の例の形状を示す正面図である。
【発明を実施するための形態】
【００１８】
以下、本発明の実施の形態について、図面に基づいて説明する。なお、実施の形態において、図示の同一記号及び同一符号は、同一または相当する機能部分であるから、ここではその重複する説明を省略する。
【００１９】
まず、本発明の実施の形態について、卒塔婆の事例を参照して説明する。
図１に示すように、卒塔婆１０には、仏教の教えの世界観が表現されている。卒塔婆１０の本体に該当する最も面積が広いところが、略四角形の一部のシルエットで「地」を表し、五輪塔２０の直方体部分２１を示します。その１段上の略円形の一部のシルエットで「水」を表し、五輪塔２０の球体部分２２を示し、その上の略三角形の一部のシルエットで「火」を表し、五輪塔２０の屋根部分２３を示し、その上の半円形の一部のシルエットで「風」を表し、五輪塔２０の鉢状部分２４を示す。また、一番上の略宝珠形の一部のシルエットで「空」を表し、五輪塔２０の宝珠部分２５を示す。
仏教は、この概念的に五輪塔２０を表す上に尖った丸（空）１５、半丸（風）１４、三角（火）１３、丸（水）１２、四角（地）１１は、空、風、火、水、地の５つの要素が、この世界を構成していると説いており、当然、人間もこの５つの要素によって、生かされていると説いている。
【００２０】
図２において、本実施の形態の卒塔婆１０の板紙１は、木材チップから得たパルプ、綿パルプ、化学パルプ（合成樹脂繊維）等の１以上で形成された板紙であり、多層抄き（積層紙）または単層抄きのものであり、通常、例えば、ケント紙と呼ばれる０．５〜２ｍｍの厚みのものが使用される。なお、通常、紙の規格は重さで表現されるが、本発明を実施する場合には、板紙１の腰の強さが問題になるので、厚みで表現するものであり、０．５〜２ｍｍの厚みのものであれば、朽ち難く、変形され難いので好ましい。
【００２１】
この板紙１は、特定の規格化されたもので、本実施の形態では、Ａ５、Ａ４、Ａ３、Ａ２及びＢ５、Ｂ４、Ｂ３が使用に好適であった。ＩＳＯ規格またはＤＩＮ規格であってもよい。何れにせよ、パソコンのプリンタで印刷できる規格であればよい。特に、パソコンのプリンタは、「郵便はがき」よりも大きいものについて、規格外でも印字できるものが多い。本発明の特定の規格化された板紙１とは、前記規格外でも印字できるプリンタにおいて使用できることまでを否定するものではない。即ち、この規格とは複数毎取りできる卒塔婆１０をパソコンのプリンタで印刷できればよいことを意味し、厳格に板紙１の数ｃｍの寸法違いを規格外というものではない。
【００２２】
板紙１の両面には、図３に示すように、印刷層２及び印刷層３が形成されている。この印刷層２及び印刷層３は、通常のグラビア印刷、オフセット印刷が使用でき、特に、使用するインキは、親水性を有しないインキとし、板紙１の両面から水分が浸透し難い構成とするのが望ましい。この場合には、親水性ポリマーを表面にコーティングするか、コロナ放電、プラズマ放電等の放電加工処理により親水加工を施し、印刷層２及び印刷層３の表面に梵字や戒名等を印刷したりすることができるように処理する必要がある。
【００２３】
勿論、印刷層２及び印刷層３の親水処理方法としては、木目を印刷するインキに親水基を有するポリマーを共重合してもよいし、親水性のあるインキを使用して印刷層２及び印刷層３またはその一方のみを形成してもよい。
印刷層２と印刷層３は、板紙１の両面に形成されているが、個々の印刷層２と印刷層３を１層目のグラビア印刷、オフセット印刷として防水性のインキを使用し、その表面をプライマー処理し、その上面に親水性のあるインキを使用して印刷層２及び／または印刷層３を形成してもよい。このように、防水性のインキを使用した場合には、板紙１に防水性が付与されその寿命を長くすることができる。
【００２４】
板紙１に必要数の線状に入れたマイクロミシンで形成した切断線４は、特定のＡ５、Ａ４、Ａ３、Ａ２、Ｂ５、Ｂ４、Ｂ３と規格化された板紙１から、所定数の卒塔婆１０を分離形成するものである。また、縦長に使用するか、横長に使用するかは、使用される卒塔婆１０の寸法によって決定される。
切断線４を付すマイクロミシンは、トムソン刃を使用し、市販の切れ部分０．３５ｍｍ、繋ぎ部分０．１５ｍｍのもの、また、切れ部分０．２ｍｍ、繋ぎ部分０．１５ｍｍのものが使用できる。即ち、パソコンに接続されているプリンタで印刷しても、紙送りに支承はなかった。
【００２５】
板紙１の両辺５，６と切断線４に囲まれた領域及び切断線４に両側が囲まれた領域に、概念的に五輪塔２０を表す上に尖った丸１５、半丸１４、三角１３、丸１２、四角１１のシルエットラインの打ち抜きは、通常、板紙１の有効利用をするために、板紙１の両辺５，６と切断線４の線上に形成される。本実施の形態では、直線状の切断線４をマイクロミシンで切断し、概念的に五輪塔２０を表す板紙１の辺７を含み上に尖った丸１５、半丸１４、三角１３、丸１２、四角１１のシルエットラインの打ち抜きは、精密トムソン型のプレス裁断用の刃を使用した。即ち、直線状の切断線４を形成するマイクロミシンとプレス裁断用の刃を用いて切断可能としている。
【００２６】
当然、本発明を実施する場合には、直線状の切断線４及び概念的に五輪塔２０を表す板紙１の辺７を含み上に尖った丸１５、半丸１４、三角１３、丸１２、四角１１のシルエットラインの打ち抜きをマイクロミシンで形成することもできる。
しかし、直線状の切断線４をマイクロミシンで切断し、概念的に五輪塔２０を表す上に尖った丸１５、半丸１４、三角１３、丸１２、四角１１のシルエットラインの打ち抜きは、精密トムソン型のプレス裁断用の刃を使用する場合には、直線状のマイクロミシンの切断線４が分離されやすく、上に尖った丸１５、半丸１４、三角１３、丸１２、四角１１のシルエットラインの打ち抜きが分離され難くなり、パソコンに接続されている各種のプリンタで印刷しても、紙送りに問題が生じ難い。
【００２７】
また、概念的に五輪塔２０を表す上に尖った丸１５、半丸１４、三角１３、丸１２、四角１１のシルエットラインを板紙１から打ち抜く場合には、マイクロミシンで形成した直線状の切断線４とは異なり、打ち抜き線で形成された領域が、マイクロミシンで形成した直線状の切断線４の折曲げ力が作用しないから、安定した接続状態が維持され、かつ、切断の際には、両者を同一紙面上を引き離す方向に外力を加えることにより、簡単に、かつ、綺麗に１枚ずつの卒塔婆１０に分離することができる。
【００２８】
本実施の形態では、概念的に五輪塔２０を表す上に尖った丸１５、即ち、五輪塔２０の宝珠部分２５は、板紙１の一辺７に形成するものであるから、最初に、精密トムソン型のプレス裁断用の刃を使用して上に尖った丸１５を含む他の五輪塔２０の部分（半丸１４、三角１３、丸１２、四角１１）を形成し、次いで、マイクロミシンで形成した直線状の切断線４を形成した。この順序で打ち抜きを形成すると、板紙１にストレスが加わらない切断線４が切り離されることなく形成可能となる。
【００２９】
概念的に五輪塔２０を表す上に尖った丸１５、半丸１４、三角１３、丸１２、四角１１は、図２の仮想線で示されたようなシルエットの形状を示し、五輪塔２０の直接的なシルエットラインとは相違し、概念的なものである。四角１１は基本的に長方形部分であり、その違いはない。丸１２は球体の上部及び下部を切断した形状である。また、三角１３は球体の中心面より下側に離れた位置で切断した形状である。そして、半丸１４は球体の中心面より上側に離れた位置で切断した形状である。更に、上に尖った丸１５は球体に３角錐を搭載した形状である。
【００３０】
ここで、打抜きの型から見ると、図４及び図５に示すように、略三角形の打抜き型によって全体を形成することができる。略三角形の打抜き型３１によって四角１１を形成できる。また、略三角形の打抜き型３１及び略三角形の打抜き型３２によって丸１２を形成できる。そして、略三角形の打抜き型３２及び略三角形の打抜き型３３によって三角１３を形成できる。更に、半丸１４は略三角形の打抜き型３３及び略三角形の打抜き型３４によって形成でき、上に尖った丸１５は略三角形の打抜き型３４及び板紙１の端部の略三角形の打抜き型３５によって形成できる。
なお、これらの型では、切断線４の延長線上から離れた位置に少なくとも２箇所以上の繋ぎ部分３０、即ち、接続点を有している。この繋ぎ部分３０の設定は、卒塔婆１０を分離しようとしないときに、分離されてしまうことを防止できる。
【００３１】
また、図６に示すように、三角１３は略三角形の打抜き型３２及び略三角形の打抜き型３３に代えて、略三角形の打抜き型３２と同一形状の略三角形の打抜き型３２を合わせた菱形の略四角形の打抜き型４３によって形成することもできる。
なお、図６の略三角形の打抜き型４１は図５の略三角形の打抜き型３１と、図６の略三角形の打抜き型４２は図５の略三角形の打抜き型３２と同じであり、また、図６の略三角形の打抜き型４４は図５の略三角形の打抜き型３４と、図６の略三角形の打抜き型４５は図５の略三角形の打抜き型３５と同じである。
【００３２】
このように、本発明を実施する場合の打抜きの型は、略三角形の打抜き型３１，３２，３３，３４，３５と菱形の略四角形の打抜き型４３等によって形成することもできる。勿論、図６の略三角形の打抜き型４１及び図６の略三角形の打抜き型４２を連結し、略四角形の打抜き型４７（仮想線）とすることもできる。また、図６の略三角形の打抜き型４４及び三角形の打抜き型４５の一部を連結し、略四角形の打抜き型４８（仮想線）とすることもできる。このときには、板紙１の端部の略三角形の打抜き型４５は、板紙１の端部を切断する略四角形となる。
【００３３】
逆に、五輪塔２０を表す上に尖った丸１５、半丸１４、三角１３、丸１２、四角１１は、あくまでも概念的であるから、一部が変更され、省略されたとしても、全体の卒塔婆１０のイメージが変化するものではない。特に、五輪塔２０を表す上に尖った丸１５が存在すれば、一般の人では違和感がない。また、全体の角隅が面取りをしてあれば、卒塔婆１０としてそれほどの違和感がない。
【００３４】
本実施の形態の卒塔婆１０においては、特定の規格化された板紙１と、板紙１の表及び／または裏に他の印刷を重ね印刷可能に木目印刷した印刷層２，３と、板紙１に複数線状に入れたマイクロミシンで形成した切断線４と、板紙１の両辺５，６と切断線４に囲まれた領域及び切断線４に両側が囲まれた領域に、概念的に五輪塔２０を表す上に尖った丸（空）１５、半丸（風）１４、三角（火）１３、丸（水）１２、四角（地）１１は、空、風、火、水、地の５つの要素のシルエットラインの１以上の打ち抜きを形成したものである。
【００３５】
本実施の形態の卒塔婆１０は、特定の規格化された板紙１の表及び／または裏に他の印刷を重ね印刷自在に木目を印刷した印刷層２，３と、板紙１に複数線状に入れたマイクロミシンで形成した切断線４とを具備し、しかも、板紙１の両辺４，５と切断線４に囲まれた領域及び切断線４に両側が囲まれた領域に、概念的な上に尖った丸１５、半丸１４、三角１３、丸１２、四角１１のシルエットラインを形成したものである。
【００３６】
したがって、木材で成形した卒塔婆と同様、木目を維持し、その切断面も仕上がりが綺麗であるから、木材の薄い材料として認識され、また、木目を印刷した印刷層２，３は、他の印刷を重ねて印刷できるものであるから、パソコンに接続されているインクジェットプリンタ、トナー式のプリンタでも印字可能になり、特に、用紙の規格サイズで印刷可能であるから、市販のプリンタでの扱いが容易である。そして、板紙１の厚みがパルプまたは合成樹脂の板紙としたものであるから、廃棄物処理としての環境負荷が小さくなる。
【００３７】
本実施の形態の卒塔婆１０の概念的に五輪塔２０を表す上に尖った丸１５、半丸１４、三角１３、丸１２、四角１１のシルエットラインの１以上の打ち抜きを形成する位置は、板紙１の両辺上及び切断線４上としたものである。この卒塔婆１０の概念的な上に尖った丸１５、半丸１４、三角１３、丸１２、四角１１のシルエットラインの１以上を形成する位置は、板紙１の両辺上及び切断線４上としたものであるから、卒塔婆１０の本体を規格サイズの板紙１から最大面積として形成することができる。
【００３８】
本実施の形態の卒塔婆１０の板紙１の表裏に他の印刷を重ね印刷自在に木目印刷した印刷層２，３は、親水処理または放電加工処理されたものである。したがって、板紙１の表裏に他の印刷を重ね印刷自在に木目印刷した印刷層２，３は、親水処理または放電加工処理されたものであり、特に、グラビア印刷やオフセット印刷した板紙の表面を親水処理または放電加工処理により、親水性を持たせればよいので、生産性がよく、廉価にすることができる。
【００３９】
上記実施の形態の卒塔婆１０の特定の規格化された板紙１とは、Ａ判、Ｂ判と呼ばれるもので、本実施例ではＡ５、Ａ４、Ａ３、Ａ２及びＢ５、Ｂ４、Ｂ３が使用に好適である。勿論、ＩＳＯ規格またはＤＩＮ規格であってもよい。何れにせよ、パソコンのプリンタで印刷できればよい。特に、紙面のストレスが少ないインクジェットプリンタで使用できればよい。
【００４０】
また、印刷層２，３は、板紙１の表及び／または裏に他の印刷を重ね印刷ができるような木目を印刷したものであり、他の印刷が重ね印刷できるとは、木目印刷の影響を受けることなく、その木目印刷の表面に印刷可能なものであればよい。即ち、通常のグラビア印刷やオフセット印刷した板紙１の表面を親水処理またはコロナ処理、プラズマ処理等の放電加工処理により、親水性を持たせたものであればよい。勿論、印刷層２，３のインキ自体に親水基を有するポリマーを共重合したり、親水性ポリマーを表面にコーティングしてもよい。
印刷層２，３は、板紙１の表及び／または裏に他の印刷を重ね印刷ができるような木目印刷したものであるから、卒塔婆１０として必要な梵字、戒名等の記載が自由に行えるし、手書き文字も可能になる。
【００４１】
そして、マイクロミシンで形成した切断線４は、板紙１に複数線状に入れたものであり、その切断面の仕上げを見栄えよくするもので、通常、トムソン刃を用いて僅かなバリの発生や紙粉の発生を抑えるものであればよい。
更に、板紙１の両辺と切断線４に囲まれた領域及び切断線４に両側が囲まれた領域とは、卒塔婆１０の本体となる部分であり、そこに五輪塔２０の概念的な上に尖った丸１５、半丸１４、三角１３、丸１２、四角１１のシルエットラインの１以上の組み合わせを形成したものである。勿論、概念的に五輪塔２０を表す上の丸１５、半丸１４、三角１３、丸１２、四角１１のシルエットラインの５個の組み合わせが好ましいが、概念的に処理されるので、そのうちの１乃至４個の形状が他の形状であっても、それが五輪塔２０の概念的表現を否定できないので、シルエットラインの１以上が採用されておればよい。
【００４２】
本実施の形態の卒塔婆１０の概念的に五輪塔２０を表わす上に尖った丸１５、半丸１４、三角１３、丸１２、四角１１のシルエットラインの１以上の組み合わせを形成する位置は、板紙１の対向する両辺５，６上及び切断線４上としたものである。
即ち、板紙１の両辺と切断線４に囲まれた領域及び切断線４に両側が囲まれた領域とは、卒塔婆１０の本体となる部分であり、その大きさを維持するには、板紙１の対向する両辺５，６上及び切断線４上に卒塔婆の前記概念的な上に尖った丸１５、半丸１４、三角１３、丸１２、四角１１のシルエットラインを形成するものである。
【００４３】
本実施の形態の卒塔婆１０の板紙１の表裏に他の印刷を重ね印刷自在に木目を印刷した印刷層２，３は、親水処理または放電加工処理されたものである。
ここで、印刷層２，３は、親水処理または放電加工処理は、板紙１の表裏に他の印刷を重ね印刷自在とするものであるが、木目印刷するインク自体が親水性のものの使用、または、通常のグラビア印刷やオフセット印刷した板紙１の表面を親水処理または放電加工処理により、親水性を持たせたものとすることができる。
【００４４】
本実施の形態の複数枚の卒塔婆１０は、切断線４の延長線上から離れた位置に少なくとも２箇所以上の繋ぎ部分を有しているから、この繋ぎ部分によって卒塔婆１０を分離しようとしないときに、簡単に分離されることを防止でき、必要なときのみ分離できる構成とすることができる。
【符号の説明】
【００４５】
１      板紙
２，３  印刷層
４      切断線
５，６  板紙の辺
１０    卒塔婆
１１    四角（五輪塔の直方体部分の地）
１２    丸（五輪塔の球体部分の水）
１３    三角（五輪塔の屋根部分の火）
１４    半丸（五輪塔の鉢状部分の風）
１５    丸（五輪塔の宝珠部分の空）
２０    五輪塔
【図１】
2011147639.tif 000003
【図２】
2011147639.tif 000004
【図３】
2011147639.tif 000005
【図４】
2011147639.tif 000006
【図５】
2011147639.tif 000007
【図６】
2011147639.tif 000008